(57)【特許請求の範囲】
【請求項１】
一対の建地枠を布板支持用の横枠で一体連結して構成した枠組足場を上下方向に連結するときに上下方向で対向する前記建地枠の上端と下端との間に所定の間隔を設定するスペーサ部材と、そのスペーサ部材の上下それぞれに一体連接されて前記建地枠の上端と下端それぞれに嵌合する嵌合部材とから成る枠組足場連結金具であって、
前記スペーサ部材に、先端を前記横枠上に載置して前記横枠に支持された布板の前記建地枠側への移動を当接阻止するストッパーを、前記布板に作用する作用位置と前記布板に作用しない非作用位置とに変位可能に設けてあることを特徴とする枠組足場連結金具。
【請求項２】
請求項１に記載のストッパーをスペーサ部材に水平方向の軸芯周りで揺動可能に設けるとともに、前記ストッパーと前記スペーサ部材との間に、前記ストッパーの揺動に摩擦抵抗を付与する弾性材を介装してある枠組足場連結金具。
【発明の詳細な説明】
【０００１】
【発明の属する技術分野】
本発明は、一対の建地枠を布板支持用の横枠で一体連結して構成した枠組足場を上下方向に連結する枠組足場連結金具に関する。
【０００２】
【従来の技術】
この種の枠組足場を上下方向に連結して作業通路を形成する場合、枠組足場を所定間隔を隔てて立設するとともに上下方向に連結し、対向する枠組足場の建地枠どうしをブレースを介して互いに連結し、かつ、対向する枠組足場の横枠にわたって、中央側に２枚の布板を架設している。
【０００３】
【発明が解決しようとする課題】
しかしながら、布板を架設する場合、布板の長手方向の両端それぞれに一体的に設けられた一対のフックを横枠に架けているだけである。また、フックと横枠との間のわずかなガタを利用して大きな半径の円弧状の作業通路にするなど、布板を両建地枠の一方側に寄せて支持させる場合もあり、それらに対応するために、両建地枠の内側の間隔が２枚分の布板の幅よりも大きくなるように設定されている。
【０００４】
その結果、２枚の布板が隙間のある状態で架設されたり、また、最初は隙間が無いように架設していても横ずれによって隙間が生じ、作業者が不測に隙間に足を落とし込んで挟まれ、捻挫するなど安全性に欠ける欠点があった。
【０００５】
そこで、このような問題を回避するために、実開平４−９０６３３号公報に開示されるように、横枠に所定間隔を隔てて割りピンナットを取り付け、布板のフックが割りピンナットに当たることにより、横ずれを防止できるようにしたものがあった。
【０００６】
ところが、大きな強度を必要とする枠組足場において、最上部に位置する横枠に割りピンナット取り付けのための穴を形成することになり、強度が低下してしまう欠点があった。
【０００７】
本発明は、このような事情に鑑みてなされたものであって、請求項１に係る発明の枠組足場連結金具は、既成の枠組足場に対して改造せずに容易に適用し、布板の横ずれを良好に防止でき、かつ、必要に応じて非作用状態にできるようにすることを目的とし、そして、請求項２に係る発明の枠組足場連結金具は、簡単な構成の付加により、不測に変位して作用が解除されることを防止できるようにすることを目的とする。
【０００８】
【課題を解決するための手段】
請求項１に係る発明は、上述のような目的を達成するために、一対の建地枠を布板支持用の横枠で一体連結して構成した枠組足場を上下方向に連結するときに上下方向で対向する建地枠の上端と下端との間に所定の間隔を設定するスペーサ部材と、そのスペーサ部材の上下それぞれに一体連接されて建地枠の上端と下端それぞれに嵌合する嵌合部材とから成る枠組足場連結金具において、スペーサ部材に、先端を横枠上に載置して横枠に支持された布板の建地枠側への移動を当接阻止するストッパーを、布板に作用する作用位置と布板に作用しない非作用位置とに変位可能に設けて構成する。
【０００９】
また、請求項２に係る発明の枠組足場連結金具は、請求項１に係る発明の枠組足場連結金具におけるストッパーをスペーサ部材に水平方向の軸芯周りで揺動可能に設けるとともに、ストッパーとスペーサ部材との間に、ストッパーの揺動に摩擦抵抗を付与する弾性材を介装して構成する。
【００１０】
【作用】
請求項１に係る発明の枠組足場連結金具の構成によれば、対向する枠組足場の横枠にわたって布板を架設支持させるときに、作業通路の両側となる建地枠それぞれに取り付けられている枠組足場連結金具のストッパーを作用位置に変位して先端を横枠上に載置しておき、布板やそれに一体のフックがストッパーに当接することにより、２枚などの布板それぞれが横枠上で建地枠側に設定位置を越えて移動することを確実に防止し、布板間に大きな隙間を発生させることを防止できる。
一方、フックと横枠との間のわずかなガタを利用して大きな半径の円弧状の作業通路にするなど、布板を両建地枠の一方側に寄せて支持させる場合には、ストッパーを非作用位置に変位させておくことにより対応することができる。
【００１１】
また、請求項２に係る発明の枠組足場連結金具の構成によれば、弾性材によって付与される摩擦抵抗に抗して、ストッパーを非作用位置と作用位置に揺動変位しながらも、ストッパーに力を加えない状態では、上述摩擦抵抗によってその状態を維持し、布板の架設時や架設後において布板から大きな力がかかっても不測に作用位置から跳ね上がるといったことが無い。また、枠組足場を連結するときにも、ストッパーがブラブラせず、連結作業の邪魔にならない。更に、布板を両建地枠の一方側に寄せて架設支持させる場合にも、ストッパーを非作用位置に維持した状態で行うことができて架設作業の邪魔にならない。
【００１２】
【発明の実施の形態】
次に、本発明の実施例を図面に基づいて詳細に説明する。
【００１３】
図１は、本発明に係る枠組足場連結金具の実施例の斜視図であり、下側の枠組足場１の建地枠２の上端と、上側の枠組足場１の建地枠２の下端とに嵌入する円筒状の嵌合部材３に、その長手方向の中間に位置させて環状のスペーサ部材４が一体連接されている。
【００１４】
スペーサ部材４の周方向の所定箇所に、一対の対向片５ａ，５ａを有する支持部材５が取り付けられ、その支持部材５に丸リベット６を介してストッパー７が揺動可能に取り付けられている。
【００１５】
図２の平面図に示すように、両対向片５ａ，５ａそれぞれとストッパー７との間に、弾性材としてのスプリングワッシャー８が介装され、ストッパー７の揺動に摩擦抵抗を付与するように構成されている。また、嵌合部材３の両端側それぞれに、後述するロック金具を挿入する貫通孔９，９が形成されている。
【００１６】
次に、上記構成の枠組足場連結金具Ｋの使用態様について説明する。
図３は作業通路を示す平面図、図４は図３のＡ−Ａ線矢視図であり、一対の建地枠２，２が布板支持用の横枠１０と補強枠１１によって一体連結されて枠組足場１が構成されている。
【００１７】
枠組足場１が水平方向に所定間隔を隔てて立設されるとともに上下方向に連結され、かつ、水平方向で隣合う横枠１０にわたって２枚づつの布板１２が架設され、建地枠２に突設されたグラビティーロック１３にブレース（図示せず）を取り付け、作業通路の作業用足場１４が形成されている。
【００１８】
枠組足場１どうしの連結は次のようにして行われている。
すなわち、図５の要部の一部省略拡大側面図に示すように、枠組足場連結金具Ｋの嵌合部材３の下側の貫通孔９，９に、予めロック金具としてのバネ性のあるＶ字状のロック部材１５が取り付けられ、嵌合部材３を、下側の枠組足場１の建地枠２に上方から強制的に嵌入することにより、ロック部材１５の両端それぞれが建地枠２の上側に形成された貫通孔９ａ，９ａに嵌入され、スペーサ部材４が建地枠２の上端に当接された状態で、枠組足場連結金具Ｋが下側の枠組足場１の建地枠２に一体的に取り付けられる。枠組足場連結金具Ｋを下側の枠組足場１の建地枠２に一体的に取り付けるのに、上記Ｖ字状のロック部材１５に代えて、例えば、建地枠２に嵌合部材３を嵌入し、貫通孔９ａ，９ａと貫通孔９，９とにわたって連結ピンを挿入し、その連結ピンの先端にベータピンを挿入して抜け止めするなどによって取り付けても良い。
【００１９】
一方、上側の枠組足場１の建地枠２の下側に形成された貫通孔９ｂに、予めロック金具としての突出側に弾性付勢されたロックピン１６が取り付けられ、その建地枠２を嵌合部材３の上側に外嵌し、建地枠２の下端がスペーサ部材４に当接された状態でロックピン１６が嵌合部材３の上側に形成された貫通孔９内に嵌入されて上側への抜け止めがなされ、これらにより枠組足場１が上下方向に一体連結されている。
【００２０】
しかる後、両側のストッパー７を、その先端が横枠１０上に載置されるように下側に揺動し、布板１２のフック１２ａに当接しない非作用位置からフック１２ａに当接可能な作用位置に変位させておき、その状態で横枠１０にフック１２ａ引っ掛けて２枚の布板１２を支持させることにより、その布板１２が建地枠２，２の一方側にずれるのを、両端のいずれかのフック１２ａがストッパー７の先端に当接して阻止することができるのである。
【００２１】
図６は、フックと横枠との間のわずかなガタを利用して大きな半径の円弧状の作業通路を形成した状態を示す要部の概略平面図であり、布板１２が両建地枠２，２の一方側に寄せて支持されている。なお、図６において、その曲率半径は、説明上やや誇張して示している。
【００２２】
このような場合に、両ストッパー７，７を作用位置にしておくと、その両ストッパー７，７間に２枚の布板１２を支持できないため、一方のストッパー７（通常は外側のストッパー）を非作用位置に変位させておくことにより対応するのである。
【００２３】
図７の（ａ）は、ストッパー７の変形例を示す側面図であり、その先端に、作用位置にした状態で鉛直となる第１の面Ｆ１と水平となる第２の面Ｆ２とが形成され、第２の面Ｆ２によって面接触支持させながら第１の面Ｆ１によってフック１２ａに面接触で当接できるように構成されている。
【００２４】
図７の（ｂ）は、ストッパー７の別の変形例を示す側面図であり、その先端に、作用位置にした状態で鉛直となる第１の面Ｆ１が形成され、フック１２ａに面接触で当接できるように構成されている。
【００２５】
図８の（ａ）は、ストッパー７の更に別の変形例を示す側面図、図８の（ｂ）は、図８の（ａ）のＢ−Ｂ線矢視図であり、その先端に、下向きコの字状のカバー部材１７が一体連接され、ストッパー７を作用位置にした状態でカバー部材１７が横枠１０に外嵌され、ストッパー７が通路方向に変位しないように構成されている。このカバー部材１７の下端どうしに番線を取り付けるなどにより、横枠１０から外れないようにすることも可能である。
【００２６】
上記実施例では、支持部材５とストッパー７との間にスプリングワッシャー８を設け、ストッパー７の揺動に摩擦抵抗を付与できるように構成しているが、スプリングワッシャー８に代えて硬質ゴムなどの各種の弾性材が採用でき、また、本発明としては、それらの弾性材を設けないものでも良い。
【００２７】
上記実施例では、枠組足場連結金具Ｋと上下の枠組足場１，１とをロック部材１５とロックピン１６とを介して一体連結し、これによって上下の枠組足場１，１を連結したものを示したが、本発明としては、嵌合部材３を上下の枠組足場１，１の建地枠２に嵌入し、上下の建地枠２，２のグラビティーロック１３，１３にわたってアームロックを取り付けて上下の枠組足場１，１を連結するように構成する場合にも適用できる。このような場合には、嵌合部材３に貫通孔９を設けなくても良い。
【００２８】
また、上記実施例では、支持部材５をスペーサ部材４に一体的に設けているが、例えば、支持部材５を、嵌合部材３の軸芯周りで回転可能に、あるいは、回転および固定可能にスペーサ部材４に設け、ストッパー７が不要なときなどに、作業通路側に出っ張らない位置にストッパー７を変位させておけるように構成しても良い。また、貫通孔９を、枠組足場１の連結状態で水平方向に向かう所定長さの長穴に形成し、前述同様に、ストッパー７が不要なときなどに、作業通路側に出っ張らない位置にストッパー７を変位させておけるように構成しても良い。
【００２９】
【発明の効果】
以上説明したように、請求項１に係る発明の枠組足場連結金具によれば、対向する枠組足場の横枠にわたって布板を架設支持させるときに、布板が横枠上で建地枠側に設定位置を越えて移動することをストッパーによって確実に防止するから、布板間に大きな隙間を発生させることを防止でき、作業者が足を隙間に落とし込むといったことが無く、安全性を向上できるようになった。
一方、フックと横枠との間のわずかなガタを利用して大きな半径の円弧状の作業通路にするなど、布板を両建地枠の一方側に寄せて支持させる場合には、ストッパーを非作用位置に変位させることで容易に対応できる。
しかも、枠組足場に対して何ら加工せずに、既成の枠組足場をそのまま利用できるから、枠組足場の強度を低下することが無く、作業通路を形成する上で強度を低下することが無い。そのうえ、ストッパーを枠組足場連結金具自体に備えさせているから、ストッパーを取り付けるために余分な手間がかからず、従来同様の手間で済む。
【００３０】
また、請求項２に係る発明の枠組足場連結金具によれば、スペーサ部材とストッパーとの間に弾性材を介装するだけの簡単な構成でありながら、弾性材による摩擦抵抗の付与によって、ストッパーに力を加えない状態で、非作用位置と作用位置それぞれに維持でき、布板の架設時や架設後における不測の跳ね上がりを防止でき、より安全性を向上できるようになった。
しかも、枠組足場を連結するときにも、ストッパーがブラブラせず、ストッパーに邪魔されずに連結作業を能率良く行うことができ、更に、布板を両建地枠の一方側に寄せて架設支持させる場合にも、ストッパーを非作用位置に維持でき、ストッパーに邪魔されずに布板の架設作業を能率良く行うことができる。
【図面の簡単な説明】
【図１】本発明に係る枠組足場連結金具の実施例の斜視図である。
【図２】平面図である。
【図３】作業通路を示す平面図、図４は図３のＡ−Ａ線矢視図である。
【図４】第１変形例の概略縦断面図である。
【図５】要部の一部省略拡大側面図である。
【図６】大きな半径の円弧状の作業通路を形成した状態を示す要部の概略平面図である。
【図７】（ａ）はストッパーの変形例を示す側面図、（ｂ）はストッパーの別の変形例を示す側面図である。
【図８】（ａ）は、ストッパーの更に別の変形例を示す側面図、（ｂ）は、図８の（ａ）のＢ−Ｂ線矢視図である。
【符号の説明】
１…枠組足場
２…建地枠
３…嵌合部材
４…スペーサ部材
７…ストッパー
８…スプリングワッシャー
１０…横枠
１２…布板
Ｋ…枠組足場連結金具
【図１】
0003739123.tif 000002
【図２】
0003739123.tif 000003
【図３】
0003739123.tif 000004
【図４】
0003739123.tif 000005
【図５】
0003739123.tif 000006
【図６】
0003739123.tif 000007
【図７】
0003739123.tif 000008
【図８】
0003739123.tif 000009